(57)【要約】【課題】１回限りのコピー許可となっている映像音声情報をＤＶＤにコピーするとき、使用するＤＶＤの選択を容易にする。【解決手段】ハードディスク１６からＤＶＤ１７にコピーする場合に、コピー制限情報とＤＶＤ１７との組み合わせがコピーを許可する組み合わせとなるときにはハードディスク１６に記録された映像音声情報をＤＶＤ１７にコピーし、前記組み合わせがコピーを許可しない組み合わせとなるときにはハードディスク１６に記録された映像音声情報をＤＶＤ１７にはコピーしない構成において、使用可能媒体表示手段１１は、前記組み合わせがコピーを許可しない組み合わせとなるときには、前記組み合わせがコピーを許可する組み合わせとなるコピー先記録媒体を表示する（ＤＶＤ１７の種類を表示する）。【選択図】  図１
2006050171.tif 000002
【特許請求の範囲】
【請求項１】
ＤＶＤに映像音声情報を記録するとともにＤＶＤに記録された映像音声情報を再生するディスクドライブ部と、
ハードディスクに映像音声情報を記録するとともにハードディスクに記録された映像音声情報を再生するハードディスクドライブ部とを備え、
コピーの制限を示すコピー制限情報が付加された映像音声情報をハードディスクからＤＶＤにコピーする場合に、コピー制限情報とＤＶＤの種類との組み合わせがコピーを許可する組み合わせとなるときにはハードディスクに記録された前記映像音声情報をＤＶＤにコピーし、前記組み合わせがコピーを許可しない組み合わせとなるときにはハードディスクに記録された前記映像音声情報をＤＶＤにはコピーしないハードディスクドライブ一体型ＤＶＤレコーダにおいて、
前記組み合わせがコピーを許可しない組み合わせとなるときには、前記組み合わせがコピーを許可する組み合わせとなるＤＶＤの種類を表示するとともに表示されたＤＶＤの使用を指示するメッセージを表示する使用可能媒体表示手段と、
前記組み合わせがコピーの許可を示すとともにコピー制限情報が１回限りのコピー許可を示す場合に、ハードディスクに記録されていた映像音声情報をＤＶＤにコピーしたときには、ハードディスクに記録されていた映像音声情報が消去されることを示すメッセージを表示する情報消失警告手段と、
ディスクドライブ部に収納されたＤＶＤにハードディスクに記録された映像音声情報をコピーする場合、前記組み合わせがコピーを許可する組み合わせとなるときには、コピー元表示エリアにハードディスクを示す文字を表示するとともにコピー先表示エリアにディスクドライブ部に収納されたＤＶＤの種類を示す文字を表示し、前記組み合わせがコピーを許可しない組み合わせとなるときには、コピー元表示エリアにハードディスクを示す文字を表示するが、コピー先表示エリアについてはＤＶＤの種類を示す文字の表示を取り止めるコピー元先表示手段と、
コピー元記録媒体がＤＶＤとなり、コピー先記録媒体がハードディスクとなり、コピー制限情報が１回限りのコピー許可を示す場合には、ＤＶＤに記録された映像音声情報をハードディスクに移動できるが、ハードディスクに移動された映像音声情報の再生はできないことを示すメッセージを表示する再生不能警告手段とを備えたことを特徴とするハードディスクドライブ一体型ＤＶＤレコーダ。
【請求項２】
コピーの制限を示すコピー制限情報が付加された映像音声情報をコピー元記録媒体からコピー先記録媒体にコピーする場合に、コピー制限情報とコピー先記録媒体との組み合わせがコピーを許可する組み合わせとなるときにはコピー元記録媒体に記録された前記映像音声情報をコピー先記録媒体にコピーし、前記組み合わせがコピーを許可しない組み合わせとなるときにはコピー元記録媒体に記録された前記映像音声情報をコピー先記録媒体にはコピーしない映像記録再生装置において、
前記組み合わせがコピーを許可しない組み合わせとなるときには、前記組み合わせがコピーを許可する組み合わせとなるコピー先記録媒体を表示する使用可能媒体表示手段を備えたことを特徴とする映像記録再生装置。
【請求項３】
使用可能媒体表示手段は、前記組み合わせがコピーを許可する組み合わせとなるコピー先記録媒体を表示するときには、表示した記録媒体の使用を指示するメッセージを表示することを特徴とする請求項２に記載の映像記録再生装置。
【請求項４】
前記組み合わせがコピーの許可を示すとともにコピー制限情報が１回限りのコピー許可を示す場合に、コピー元記録媒体に記録されていた映像音声情報をコピー先記録媒体にコピーしたときには、コピー元記録媒体に記録されていた映像音声情報が消去されることを示すメッセージを表示する情報消失警告手段を備えたことを特徴とする請求項２または請求項３に記載の映像記録再生装置。
【請求項５】
光ディスクに映像音声情報を記録するディスクドライブ部を備え、
ディスクドライブ部に収納された光ディスクをコピー先記録媒体とする場合に、前記組み合わせがコピーを許可する組み合わせとなるときには、コピー元表示エリアにコピー元記録媒体を示す文字を表示するとともにコピー先表示エリアに前記光ディスクの種類を示す文字を表示し、前記組み合わせがコピーを許可しない組み合わせとなるときには、コピー元表示エリアにコピー元記録媒体を示す文字を表示するが、コピー先表示エリアについては、光ディスクの種類を示す文字の表示を取り止めるコピー元先表示手段を備えたことを特徴とする請求項２から請求項４までのいずれかに記載の映像記録再生装置。
【発明の詳細な説明】
【技術分野】
【０００１】
本発明は、コピーの制限を示すコピー制限情報が付加された映像音声情報を、コピー元記録媒体からコピー先記録媒体にコピーするハードディスクドライブ一体型ＤＶＤレコーダおよび映像記録再生装置に係り、より詳細には、コピー制限情報とコピー先記録媒体との組み合わせがコピーを許可しない組み合わせとなるときには、前記組み合わせがコピーを許可する組み合わせとなるコピー先記録媒体を表示するハードディスクドライブ一体型ＤＶＤレコーダおよび映像記録再生装置に関するものである。
【背景技術】
【０００２】
ハードディスクドライブ（以下では、ＨＤＤと称する）とディスクドライブとを備えたレコーダに、衛星デジタル放送や地上波デジタル放送を受信するチューナの出力を接続すると、所望するデジタル放送の番組を、ＨＤＤやＤＶＤに高画質で録画することできるようになっている。また、ＨＤＤに録画した番組を、ＤＶＤ等の記録媒体にコピーして保存することも可能になっている（第１の従来技術とする）。
【０００３】
また、以下に示す技術が開示されている（第２の従来技術とする）。すなわち、この技術においては、映像音声情報、あるいは、音声情報、または、映像情報により構成されるファイルのそれぞれについて、題名、記録日、ファイルの形式、複写許可の情報（コピー制限情報）、記録場所、および、バレンタルロックの情報をリスト形式で表示するようにしている。なお、ファイルの形式については、ＭＰＥＧ、ＪＰＥＧ、あるいは、ＭＰ３のいずれかであることが開示されており、複写許可の情報については、コピーフリー、移動のみ、１回コピー可、コピー禁止の４種類のいずれかであることが開示されている（例えば、特許文献１参照）。
【０００４】
また、以下に示す技術が提案されている（第３の従来技術とする）。すなわち、この技術では、コピーの対象となる映像音声信号がコピー禁止の信号である場合、『コピー禁止信号が入っていたため、録画できませんでした。』、『コピー禁止信号が入っていたため、本機では表示できません。』、というメッセージを表示することが開示されている（例えば、特許文献２参照）。
【０００５】
また、本願出願人により、以下に示す技術が提案されている（第４の従来技術とする）。すなわち、この技術では、ダビングに先立ち、テープのプレイやサーチ、あるいは早送り等の操作を行うと、テープに記録されたプログラムの番号のそれぞれについて、デジタルコピーの可、不可を表示する構成が開示されている（例えば、特許文献３参照）。
【特許文献１】特開２００３−２５６２８５号公報（第００５７−００６２段落、図２、図３）
【特許文献２】特開２００２−１２５１８７号公報（第００９３−００９５段落、図４）
【特許文献３】実開平４−１０３３９０号公報公報（第０００７段落、図３）
【発明の開示】
【発明が解決しようとする課題】
【０００６】
しかしながら、第１の従来技術を用いる場合には、以下に示す問題を生じていた。すなわち、デジタル放送における番組には、著作権を保護する目的から、コピーに対して制限を加えるコピー制御信号（コピー制限情報）が付加されている。このため、デジタル放送の番組は、図９に示したように、録画やコピーに関して制限がなく、ＨＤＤ、ＤＶＤ−ＲＡＭ、ＤＶＤ−ＲＷ、ＤＶＤ−Ｒの全てに録画が可能な番組と、１回だけ録画可能（１回限りのコピー許可、あるいは、コピーワンス）という制限が加えられていて、ＣＰＲＭ対応のＤＶＤ−ＲＡＭやＤＶＤ−ＲＷ、または、ＨＤＤに録画が可能であるに過ぎない番組と、一切の録画を禁止された番組との、３種の番組に分かれる。
【０００７】
また、録画された番組については、図１０に示すように、コピーに関して制限がない番組の場合、ＤＶＤ−ＲＡＭ、ＤＶＤ−ＲＷ、および、ＤＶＤ−Ｒの３種のＤＶＤとＨＤＤとの間では、任意にコピーを行うことができるようになっている。しかし、１回だけ録画可能という制限が加えられた番組については、コピー元となる番組がＨＤＤに記録されている場合、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）対応のＤＶＤ−ＲＡＭとＤＶＤ−ＲＷとにのみコピーが許可されているに過ぎず、しかも、コピー後には、コピー元となる番組がＨＤＤから消去されるようになっている。その一方で、コピー元となる番組がＤＶＤに記録されている場合には、ＨＤＤに番組を移動させることはできるが、再生することはできないようになっている。
【０００８】
すなわち、コピーに関しては、非常に複雑なシステムとなっている。このため、ユーザが、コピーに関する複雑なシステムを熟知していない場合では、ＨＤＤに録画した番組をＤＶＤにコピーしようとした場合に、コピーができない、あるいは、コピーはできたが、コピー元のハードディスクにあった番組が消えてしまった、というような、予期しない事態が生じていた。
【０００９】
第２の従来技術は、ファイルのそれぞれについて、コピーフリー、移動のみ、１回コピー可、コピー禁止のどの属性が付与されたファイルであるのかを表示するようになっている。しかし、第１の従来技術において述べたコピーに関する複雑なシステムを熟知していないユーザにとっては、コピーしたい番組の属性が、コピーフリー、移動のみ、１回コピー可、コピー禁止のどの属性となっているのが表示されていても、実際のコピーの操作においては、コピーができない、あるいは、コピーはできたが、コピー元のハードディスクにあった番組が消えてしまった、というような、予期しない事態が生じることになる。
【００１０】
第３の従来技術は、コピー禁止信号が入っている場合に、『コピー禁止信号が入っていたため、録画できませんでした。』というメッセージを表示するに過ぎない。このため、コピーが制限されたデジタル放送の番組のコピーを行う場合には、表示されるメッセージの内容が不十分となる。その結果、実際のコピーの操作においては、コピーができない、あるいは、コピーはできたが、コピー元のハードディスクにあった番組が消えてしまった、というような、予期しない事態が生じることになる。
【００１１】
第４の従来技術は、デープのプログラム番号毎に、デジタルコピーの可、不可を表示するに過ぎない。このため、コピーが制限されたデジタル放送の番組のコピーを行う場合には、表示されるメッセージの内容が不十分となる。その結果、実際のコピーの操作においては、コピーができない、あるいは、コピーはできたが、コピー元のハードディスクにあった番組が消えてしまった、というような、予期しない事態が生じることになる。
【００１２】
本発明は、上記の問題点を解決するため創案されたものであり、その目的は、１回限りのコピー許可となっている映像音声情報をＤＶＤにコピーするとき、使用するＤＶＤの選択を容易にすることのでき、且つ、表示された記録媒体が使用可能であることを好適に示すことのでき、且つ、コピー元となるプログラムが意図に反して消失するという事態の発生を防止することのでき、且つ、ディスクドライブ部に収納されたＤＶＤが適切なＤＶＤでないことを好適に知らせることのでき、且つ、１回限りのコピー許可のプログラムをＤＶＤからＨＤＤにコピーしても再生が不能であることをコピー前に知らせることのできるハードディスクドライブ一体型ＤＶＤレコーダを提供することにある。
【００１３】
また、本発明の目的は、コピー制限情報とコピー先記録媒体との組み合わせがコピーを許可しない組み合わせとなるときには、前記組み合わせがコピーを許可する組み合わせとなるコピー先記録媒体を表示することにより、１回限りのコピー許可となっている映像音声情報をＤＶＤにコピーするとき、使用するＤＶＤの選択を容易にすることのできる映像記録再生装置を提供することにある。
【００１４】
また、上記目的に加え、コピーを許可する組み合わせとなるコピー先記録媒体を表示するときには、表示した記録媒体の使用を指示するメッセージを表示することにより、表示された記録媒体が使用可能であることを好適に示すことのできる映像記録再生装置を提供することにある。
【００１５】
また、上記目的に加え、１回限りのコピー許可のプログラムをコピーしたときには、コピー元記録媒体に記録されていた映像音声情報が消えることを示すメッセージを表示することにより、コピー元となるプログラムが意図に反して消失するという事態の発生を防止することのできる映像記録再生装置を提供することにある。
【００１６】
また、上記目的に加え、前記組み合わせがコピーを許可しない組み合わせとなるときには、コピー先表示エリアを空白のままとすることにより、ディスクドライブ部に収納されたＤＶＤが適切なＤＶＤでないことを好適に知らせることのできる映像記録再生装置を提供することにある。
【課題を解決するための手段】
【００１７】
上記の課題を解決するため、本発明に係るハードディスクドライブ一体型ＤＶＤレコーダは、ＤＶＤに映像音声情報を記録するとともにＤＶＤに記録された映像音声情報を再生するディスクドライブ部と、ハードディスクに映像音声情報を記録するとともにハードディスクに記録された映像音声情報を再生するハードディスクドライブ部とを備え、コピーの制限を示すコピー制限情報が付加された映像音声情報をハードディスクからＤＶＤにコピーする場合に、コピー制限情報とＤＶＤの種類との組み合わせがコピーを許可する組み合わせとなるときにはハードディスクに記録された前記映像音声情報をＤＶＤにコピーし、前記組み合わせがコピーを許可しない組み合わせとなるときにはハードディスクに記録された前記映像音声情報をＤＶＤにはコピーしない構成に適用している。そして、前記組み合わせがコピーを許可しない組み合わせとなるときには、前記組み合わせがコピーを許可する組み合わせとなるＤＶＤの種類を表示するとともに表示されたＤＶＤの使用を指示するメッセージを表示する使用可能媒体表示手段と、前記組み合わせがコピーの許可を示すとともにコピー制限情報が１回限りのコピー許可を示す場合に、ハードディスクに記録されていた映像音声情報をＤＶＤにコピーしたときには、ハードディスクに記録されていた映像音声情報が消去されることを示すメッセージを表示する情報消失警告手段と、ディスクドライブ部に収納されたＤＶＤにハードディスクに記録された映像音声情報をコピーする場合、前記組み合わせがコピーを許可する組み合わせとなるときには、コピー元表示エリアにハードディスクを示す文字を表示するとともにコピー先表示エリアにディスクドライブ部に収納されたＤＶＤの種類を示す文字を表示し、前記組み合わせがコピーを許可しない組み合わせとなるときには、コピー元表示エリアにハードディスクを示す文字を表示するが、コピー先表示エリアについてはＤＶＤの種類を示す文字の表示を取り止めるコピー元先表示手段と、コピー元記録媒体がＤＶＤとなり、コピー先記録媒体がハードディスクとなり、コピー制限情報が１回限りのコピー許可を示す場合には、ＤＶＤに記録された映像音声情報をハードディスクに移動できるが、ハードディスクに移動された映像音声情報の再生はできないことを示すメッセージを表示する再生不能警告手段とを備えている。
【００１８】
すなわち、コピーしようとする映像音声情報に付加されたコピー制限情報が、コピーにおける制限を示すため、そのときに用いたコピー先記録媒体にコピーすることが禁止となっているときには、コピーすることが禁止とならないコピー先記録媒体が表示される。且つ、表示された記録媒体を使用すればよいことが示される。且つ、コピーを実行すると、コピー元記録媒体から、コピー元となった映像音声情報が消失することが、コピーの実行前に知らされる。且つ、ディスクドライブ部に収納された光ディスクが、指定した映像音声情報をコピーすることができない光ディスクであることが、コピー先表示エリアの空白によって示される。且つ、ＤＶＤからハードディスクに移動させたときには、移動させた映像音声情報を再生できなくなることが移動の前に知らされる。
【００１９】
また、本発明に係る映像記録再生装置は、コピーの制限を示すコピー制限情報が付加された映像音声情報をコピー元記録媒体からコピー先記録媒体にコピーする場合に、コピー制限情報とコピー先記録媒体との組み合わせがコピーを許可する組み合わせとなるときにはコピー元記録媒体に記録された前記映像音声情報をコピー先記録媒体にコピーし、前記組み合わせがコピーを許可しない組み合わせとなるときにはコピー元記録媒体に記録された前記映像音声情報をコピー先記録媒体にはコピーしない構成に適用している。そして、前記組み合わせがコピーを許可しない組み合わせとなるときには、前記組み合わせがコピーを許可する組み合わせとなるコピー先記録媒体を表示する使用可能媒体表示手段を備えている。
【００２０】
すなわち、コピーしようとする映像音声情報に付加されたコピー制限情報が、コピーにおける制限を示すため、そのときに用いたコピー先記録媒体にコピーすることが禁止となっているときには、コピーすることが禁止とならないコピー先記録媒体が表示される。
【００２１】
また、上記構成に加え、使用可能媒体表示手段は、前記組み合わせがコピーを許可する組み合わせとなるコピー先記録媒体を表示するときには、表示した記録媒体の使用を指示するメッセージを表示するようになっている。すなわち、表示された記録媒体を使用すればよいことが示される。
【００２２】
また、上記構成に加え、前記組み合わせがコピーの許可を示すとともにコピー制限情報が１回限りのコピー許可を示す場合、コピー元記録媒体に記録されていた映像音声情報をコピー先記録媒体にコピーしたときには、コピー元記録媒体に記録されていた映像音声情報が消去されることを示すメッセージを表示する情報消失警告手段を備えている。すなわち、コピーを実行すると、コピー元記録媒体から、コピー元となった映像音声情報が消失することが、コピーの実行前に知らされる。
【００２３】
また、上記構成に加え、光ディスクに映像音声情報を記録するディスクドライブ部を備え、ディスクドライブ部に収納された光ディスクをコピー先記録媒体とする場合に、前記組み合わせがコピーを許可する組み合わせとなるときには、コピー元表示エリアにコピー元記録媒体を示す文字を表示するとともにコピー先表示エリアに前記光ディスクの種類を示す文字を表示し、前記組み合わせがコピーを許可しない組み合わせとなるときには、コピー元表示エリアにコピー元記録媒体を示す文字を表示するが、コピー先表示エリアについては、光ディスクの種類を示す文字の表示を取り止めるコピー元先表示手段を備えている。すなわち、ディスクドライブ部に収納された光ディスクが、指定した映像音声情報をコピーすることができない光ディスクであることが、コピー先表示エリアの空白によって示される。
【発明の効果】
【００２４】
本発明によれば、コピーしようとする映像音声情報に付加されたコピー制限情報が、コピーにおける制限を示すため、そのときに用いたコピー先記録媒体にコピーすることが禁止となっているときには、コピーすることが禁止とならないコピー先記録媒体が表示される。且つ、表示された記録媒体を使用すればよいことが示される。且つ、コピーを実行すると、コピー元記録媒体から、コピー元となった映像音声情報が消失することが、コピーの実行前に知らされる。且つ、ディスクドライブ部に収納された光ディスクが、指定した映像音声情報をコピーすることができない光ディスクであることが、コピー先表示エリアの空白によって示される。且つ、ＤＶＤからハードディスクに移動させたときには、移動させた映像音声情報を再生できなくなることが移動の前に知らされる。このため、１回限りのコピー許可となっている映像音声情報をＤＶＤにコピーするとき、使用するＤＶＤの選択を容易にすることができ、且つ、表示された記録媒体が使用可能であることを好適に示すことができ、且つ、コピー元となるプログラムが意図に反して消失するという事態の発生を防止することができ、且つ、ディスクドライブ部に収納されたＤＶＤが適切なＤＶＤでないことを好適に知らせることができ、且つ、１回限りのコピー許可のプログラムをＤＶＤからＨＤＤにコピーしても再生が不能であることをコピー前に知らせることができる。
【００２５】
また、本発明によれば、コピーしようとする映像音声情報に付加されたコピー制限情報が、コピーにおける制限を示すため、そのときに用いたコピー先記録媒体にコピーすることが禁止となっているときには、コピーすることが禁止とならないコピー先記録媒体が表示されるので、１回限りのコピー許可となっている映像音声情報をＤＶＤにコピーするとき、使用するＤＶＤの選択を容易にすることができる。
【００２６】
また、さらに、表示された記録媒体を使用すればよいことが示されるので、表示された記録媒体が使用可能であることを好適に示すことができる。
【００２７】
また、さらに、コピーを実行すると、コピー元記録媒体から、コピー元となった映像音声情報が消失することが、コピーの実行前に知らされるので、コピーを実行すると、コピー元となるプログラムが、意図に反して消失するという事態の発生を防止することができる。
【００２８】
また、さらに、ディスクドライブ部に収納された光ディスクが、指定した映像音声情報をコピーすることができない光ディスクであることが、コピー先表示エリアの空白によって示されるので、ディスクドライブ部に収納されたＤＶＤが適切なＤＶＤでないことを好適に知らせることができる。
【発明を実施するための最良の形態】
【００２９】
以下、本発明の実施の形態について図を参照して説明する。
【００３０】
図１は、本発明に係る映像記録再生装置の一実施形態の電気的構成を示すブロック線図であり、具体的には、ＣＰＲＭ対応のハードディスクドライブ一体型ＤＶＤレコーダを示している。
【００３１】
図において、チューナ部１は、マイクロコンピュータ（以下では、単にマイコンと称する）７から指示されたチャンネルのアナログ商用放送を受信する。そして、受信により得られたアナログ信号形式の映像音声信号を録再信号処理部４に出力する。
【００３２】
ディスクドライブ部２は、録再信号処理部４から出力される映像音声情報を、所定処理した後に、ＤＶＤ（請求項記載の光ディスクであり、ＤＶＤ−Ｒ、ＤＶＤ−ＲＷ、ＤＶＤ−ＲＡＭ等）１７に記録する。また、ＤＶＤ（ＤＶＤ−ビデオ、ＤＶＤ−Ｒ、ＤＶＤ−ＲＷ、ＤＶＤ−ＲＡＭ等）１７に記録された情報を再生するとともに、再生した情報を所定処理して得られた映像音声情報を録再信号処理部４に出力する。また、再生位置に収納されたＤＶＤ１７が、ＤＶＤ−ビデオ、ＤＶＤ−Ｒ、ＤＶＤ−ＲＷ、ＤＶＤ−ＲＡＭ、のうち、どのＤＶＤであるのかを示す情報をマイコン７に出力する。また、ＤＶＤ１７がＤＶＤ−ＲＷ、または、ＤＶＤ−ＲＡＭであるときには、ＣＰＲＭ対応になっているかどうかを示す情報も、併せてマイコン７に出力する。
【００３３】
ハードディスクドライブ部（以下ではＨＤＤ部と称する）３は、録再信号処理部４から出力される映像音声情報を、内部に設けられたハードディスク１６に記録する。また、ハードディスク１６に記録された映像音声情報を再生して録再信号処理部４に出力する。また、記録した映像音声情報のそれぞれについての情報（プログラム名や、付加されたコピー制限情報、等）をマイコン７に出力する。
【００３４】
デジタルチューナ１８は、装置本体の外部に設けられた受信装置であり、衛星デジタル放送や地上波デジタル放送を受信するとともに、受信により得られたデジタル信号形式の映像音声情報を録再信号処理部４に出力する。
【００３５】
録再信号処理部４は、アナログ放送の受信となるときには、チューナ部１が出力する映像音声信号を、装置本体の外部に設けられたテレビ受像機１９に送出する。また、アナログ放送の録画となるときには、チューナ部１が出力する映像音声信号を、Ａ／Ｄ変換して後、エンコードして得られた映像音声情報を、ディスクドライブ部２やＨＤＤ部３に出力する。また、デジタル放送の受信となるときには、デジタルチューナ１８が出力する映像音声情報をＤ／Ａ変換して得られた映像音声信号をテレビ受像機１９に出力する。また、デジタルチューナ１８が出力する映像音声情報をエンコードして後、ディスクドライブ部２やＨＤＤ部３に出力する。
【００３６】
また、ＨＤＤ部３やＤＶＤ１７に録画された映像音声情報の再生となるときには、ＨＤＤ部３が出力する映像音声情報、あるいは、ディスクドライブ部２が出力する映像音声情報をデコードして後、Ｄ／Ａ変換して得られた映像音声信号をテレビ受像機１９に出力する。また、ダビングとなるときには、ディスクドライブ部２が出力する映像音声情報をＨＤＤ部３に転送、あるいは、ＨＤＤ部３が出力する映像音声情報をディスクドライブ部２に転送する。
【００３７】
入力部８は、装置本体の前面パネル（図示を省略）に設けられた電源キー等のキースイッチや、リモートコントローラ（以下では、リモコンと称する）９から送信される赤外線信号を受光する受光ユニット等を備えており、ユーザからの指示が入力されると、入力された指示をマイコン７に出力する。
【００３８】
マイコン７は、ＣＰＲＭ対応のハードディスクドライブ一体型ＤＶＤレコーダとしての主要動作を制御する。すなわち、ＤＶＤ１７を記録媒体として使用するＤＶＤモードとなるときには、再生の指示がリモコン９に入力されると、録再信号処理部４とディスクドライブ部２との動作を制御することによって、ＤＶＤ１７に記録された映像音声情報を再生した後、所定処理して得られた映像音声信号をテレビ受像機１９に出力する（ＤＶＤ１７に録画された映像音声情報をテレビ受像機１９に表示する）。また、録画の指示がリモコン９に入力されると、デジタルチューナ１８が出力するデジタル信号の映像音声情報、あるいは、チューナ部１が出力するアナログ信号の映像音声信号等を、映像音声情報に変換してＤＶＤ１７に記録する。
【００３９】
また、ハードディスク１６を記録媒体として使用するＨＤＤモードとなるときには、再生の指示がリモコン９に入力されると、録再信号処理部４とＨＤＤ部３との動作を制御することによって、ハードディスク１６に記録された映像音声情報を再生した後、所定処理して得られた映像音声信号をテレビ受像機１９に出力する（ハードディスク１６に録画された映像音声情報をテレビ受像機１９に表示する）。また、録画の指示がリモコン９に入力されると、デジタルチューナ１８が出力するデジタル信号の映像音声情報、あるいは、チューナ部１が出力するアナログ信号の映像音声信号等を、映像音声情報に変換して、ハードディスク１６に記録する。
【００４０】
また、マイコン７は、ハードディスク１６に記録された映像音声情報をＤＶＤ１７にダビングするための制御、および、ＤＶＤ１７に記録された映像音声情報をハードディスク１６にダビングするための制御を行う。
【００４１】
すなわち、ダビングの対象として指定された映像音声情報が、コピー制限情報が付加されていない映像音声情報、あるいは、付加さたコピー制限情報がコピーフリーを示す映像音声情報であるときには、ユーザによって指定された映像音声情報を、コピー元記録媒体（ＤＶＤ１７またはハードディスク１６のうちの一方）から再生して、録再信号処理部４に出力するための制御を行う。また、録再信号処理部４を介して導かれた映像音声情報を、コピー先記録媒体（ＤＶＤ１７またはハードディスク１６のうちの他方）に記録するための制御を行う。
【００４２】
また、コピー制限情報が付加された映像音声情報を、コピー元記録媒体であるハードディスク１６からコピー先記録媒体であるＤＶＤ１７にコピーする場合に、コピー制限情報とＤＶＤ１７の種類との組み合わせがコピーを許可する組み合わせとなるときには、ハードディスク１６に記録された映像音声情報をＤＶＤ１７にコピーするための制御を行う。しかし、コピー制限情報とＤＶＤ１７の種類との組み合わせが、コピーを許可しない組み合わせとなるときには、ハードディスク１６に記録された映像音声情報をＤＶＤ１７にはコピーしない。
【００４３】
また、マイコン７は、機能の一部によって、使用可能媒体表示手段１１、情報消失警告手段１２、コピー元先表示手段１３、および、再生不能警告表示手段１４を形成する。そして、使用可能媒体表示手段１１は、前記組み合わせがコピーを許可しない組み合わせとなるときには、前記組み合わせがコピーを許可する組み合わせとなるＤＶＤの種類を表示するとともに、表示されたＤＶＤの使用を指示するメッセージも、併せて表示する（図７（Ｂ）の４４、５３参照）。
【００４４】
情報消失警告手段１２は、前記組み合わせがコピーの許可を示すとともにコピー制限情報が１回限りのコピー許可（１回だけ録画可能、あるいは、コピーワンス）を示す場合、ハードディスク１６に記録されていた映像音声情報をＤＶＤ１７にコピーしたときには、ハードディスク１６に記録されていた映像音声情報が消去されることを示すメッセージを表示する（図７（Ａ）の５２参照）。
【００４５】
コピー元先表示手段１３は、ディスクドライブ部２に収納されたＤＶＤ１７に、ハードディスク１６に記録された映像音声情報をコピーする場合、前記組み合わせがコピーを許可する組み合わせとなるときには、コピー元表示エリア（例えば、図７の３２）にハードディスクを示す文字である『ＨＤＤ』を表示する。また、コピー先表示エリア（例えば、図７の３３）にディスクドライブ部２に収納されたＤＶＤ１７の種類を示す文字（例えば、『ＤＶＤ−ＲＡＭ  ＣＰＲＭ対応』等）を表示する。一方、前記組み合わせがコピーを許可しない組み合わせとなるときには、コピー元表示エリア３２にハードディスクを示す文字を表示するが、コピー先表示エリアについては、ＤＶＤの種類を示す文字の表示を取り止める（図７（Ｂ）の３３を参照）ことによって、ディスクドライブ部２に収納されたＤＶＤ１７が、適する記録媒体になっていないことを示す。
【００４６】
再生不能警告表示手段１４は、コピー元記録媒体がＤＶＤ１７となり、コピー先記録媒体がハードディスク１６となり、コピー制限情報が１回限りのコピー許可を示す場合には、ＤＶＤ１７に記録された映像音声情報をハードディスク１６に移動することはできるが、ハードディスク１６に移動された映像音声情報の再生はできないことを示すメッセージ（図８（Ａ）の５４により示す）を表示する。
【００４７】
図２〜図４は、映像音声情報をコピー元記録媒体からコピー先記録媒体にコピーするときの実施形態の主要動作を示すフローチャートである。必要に応じて同図を参照しつつ、実施形態の動作を説明する。
【００４８】
リモコン９を用いて録画メニューを表示させると、マイコン７は、録再信号処理部４のオンスクリーンディスプレイ回路（図示を省略）を用いて、図５（Ａ）に示すように、録画における３つの選択肢をテレビ受像機１９に表示する。この選択肢からダビングを指定する（ステップＳ１）と、次には、同図（Ｂ）に示したように、ハードディスク１６からＤＶＤ１７へのダビングであるのか、または、ＤＶＤ１７からハードディスク１６へのダビングであるのかを指定するための選択肢がテレビ受像機１９に表示される。
【００４９】
ハードディスク１６からＤＶＤ１７へのダビングを指定する（ステップＳ２）と、動作は、ステップＳ３，Ｓ４と移行して、マイコン７は、同図（Ｃ）に示したように、ハードディスク１６に記録されているプログラム（映像音声情報）の一覧を表示する。なお、この表示においては、プログラムのそれぞれに付加されたコピー制限情報の内容も、併せて表示される。
【００５０】
プログラムの一覧から、ダビングしたいプログラムを指定する（ステップＳ５）と、マイコン７は、プログラム名の表示エリア（例えば、図６の３１）に、ダビングの対象として指定されたプログラム名を表示する（ステップＳ６）。また、コピー元表示エリア３２に、コピー元記録媒体であるハードディスク１６を示す文字『ＨＤＤ』を表示する（ステップＳ７）。そして後、対象として指定されたプログラムに付加されたコピー制限情報が、１回限りのコピー許可になっているかどうかを調べる（ステップＳ８）。
【００５１】
コピー制限情報がコピーの制限なしを示す場合（あるいは、コピー制限情報が付加されていない場合）、マイコン７は、ディスクドライブ部２に収納されたＤＶＤ１７が、映像音声情報を記録可能なディスクであるかどうかを調べる（ＤＶＤ１７が収納されたときに取得したディスクの種類を示す情報を調べる）（ステップＳ９）。ディスクドライブ部２に収納されたＤＶＤ１７がＤＶＤ−ＲＷのときは、記録可能なディスクとなるため、マイコン７は、コピー先表示エリア３３に、コピー先記録媒体を示す文字として、『ＤＶＤ−ＲＷ』を表示する（図６（Ａ）参照）（ステップＳ１０，Ｓ１１）。また、このとき、使用可能となるその他のディスク（ＤＶＤ−ＲＡＭやＤＶＤ−Ｒ）の一覧も併せて表示する（４１により示す）（ステップＳ１２）。
【００５２】
以上のことから、ステップＳ５において、ダビングの対象として指定したプログラムが『ＡＡＡＡ』であるとすると、テレビ受像機１９の画面には、図６（Ａ）に示す内容が表示されることになる。そして、ユーザが、テレビ受像機１９に表示されたダビングボタン３８を操作すると、マイコン７は、ハードディスク１６に記録されているプログラム『ＡＡＡＡ』を、ＤＶＤ１７にコピーする制御を行う（ステップＳ１３，Ｓ１４）。従って、ハードディスク１６に記録されていたプログラム『ＡＡＡＡ』がＤＶＤ１７にコピーされる。
【００５３】
一方、ディスクドライブ部２に収納されているディスクが、ＤＶＤ−ビデオ、等のように、記録が不能なディスクの場合には、動作は、ステップＳ１０からステップＳ２１に移行する。従って、このときでは、コピー先表示エリア３３には、コピー先記録媒体の種類が表示されることなく、空白のままに維持される（図６（Ｂ）の３３参照）。また、使用可能なＤＶＤの一覧４２が表示される（ステップＳ２２）。そして後、ディスクが交換されたかどうか、および、終了するかどうか（取消ボタン３９が操作されたかどうか）を調べるループ動作に移行する（ステップＳ２３，Ｓ２４）。
【００５４】
上記したループ動作において、ディスクが交換されたことを検出したときには、動作が、ステップＳ２３からステップＳ９に移行し、交換されたディスクが記録可能なディスクであるかどうかが調べられる。そして後、同様の動作が繰り返される。一方、ループ動作において、取消ボタン３９が操作されたことを検出したときには、ダビングのための動作を終了する。
【００５５】
なお、ステップＳ５においてプログラム『ＢＢＢＢ』を指定した場合では、付加されたコピー制限情報は、１回限りのコピー許可を示すことになる。このため、ステップＳ８に続く動作は、ステップＳ３１の動作となる。従って、このときでは、ディスクドライブ部２に収納されたＤＶＤ１７が、ＣＰＲＭ対応のディスクであるかどうかが調べられる。
【００５６】
ディスクドライブ部２に収納されたＤＶＤ１７がＣＰＲＭ対応のＤＶＤ−ＲＡＭとなる場合には、マイコン７は、コピー先表示エリア３３に、コピー先記録媒体を示す文字『ＤＶＤ−ＲＡＭ  ＣＰＲＭ対応』を表示する（図７（Ａ）参照）（ステップＳ３２，Ｓ３３）。また、このとき、使用可能となるその他のディスク（ＤＶＤ−ＲＷ  ＣＰＲＭ対応）を表示する（４３により示す）（ステップＳ３４）。また、ダビングを行うと、ハードディスク１６からプログラム『ＢＢＢＢ』が消去されることを示すメッセージ５２も、併せて表示する（ステップＳ３５）。
【００５７】
以上のことから、ステップＳ５において、ダビングの対象として指定したプログラムが『ＢＢＢＢ』であるとすると、テレビ受像機１９の画面には、図７（Ａ）に示す内容が表示される。そして、ユーザが、テレビ受像機１９に表示されたダビングボタン３８を操作すると、マイコン７は、ハードディスク１６に記録されているプログラム『ＢＢＢＢ』を、ＤＶＤ１７にコピーする（ステップＳ３６，Ｓ３７）。また、コピー元となったプログラム『ＢＢＢＢ』を、ハードディスク１６から消去する（ステップＳ３８）。従って、ハードディスク１６に記録されていたプログラム『ＢＢＢＢ』がＤＶＤ１７にコピーされ、ハードディスク１６からはプログラム『ＢＢＢＢ』が消去される。
【００５８】
しかし、ディスクドライブ部２に収納されたＤＶＤ１７が、ＣＰＲＭ対応のディスクでない場合には、動作は、ステップＳ３２からステップＳ４１に移行する。このため、コピー先表示エリア３３には、コピー先記録媒体の種類が表示されることなく、空白のままに維持され、ディスクドライブ部２に収納されたＤＶＤ１７が、指定されたプログラムをコピーするには適していないことが示される（図７（Ｂ）の３３参照）。また、このとき、使用可能なＤＶＤ１７の一覧４４が表示される（ステップＳ４２）。そして後、ディスクが交換されたかどうか、および、終了するかどうか（取消ボタン３９が操作されたかどうか）を調べるループ動作に移行する（ステップＳ４３，Ｓ４４）。
【００５９】
上記したループ動作において、ディスクが交換されたことを検出したときには、動作が、ステップＳ４３からステップＳ３１に移行し、交換されたディスクがＣＰＲＭ対応のディスクであるかどうかが調べられる。そして後、同様の動作が繰り返される。一方、ループ動作において、取消ボタン３９が操作されたことを検出したときには、ダビングのための動作を終了する。
【００６０】
なお、ステップＳ２の動作において、ＤＶＤ１７からハードディスク１６へのダビングを指定した場合、動作は、ステップＳ３からステップＳ５１に移行し、ＤＶＤ１７に記録されたプログラムの一覧が表示される。そして、プログラムの一覧からダビングしたいプログラムを指定する（ステップＳ５２）と、マイコン７は、プログラム名の表示エリア３１に、ダビングの対象として指定されたプログラム名を表示する（ステップＳ５３）。
【００６１】
この後、コピー元表示エリア３２に、コピー元記録媒体のＤＶＤ１７を示す文字（『ＤＶＤ』）を表示する（ステップＳ５４）。また、コピー先表示エリア３３に、ハードディスク１６を示す文字『ＨＤＤ』を表示する（ステップＳ５５）。そして後、対象として指定されたプログラムに付加されたコピー制限情報が、１回限りのコピー許可になっているかどうかを調べる（ステップＳ５６）。
【００６２】
コピー制限情報が１回限りのコピー許可となっている場合には、指定されたプログラムをＤＶＤ１７からハードディスク１６に移動できるが、ハードディスク１６に移動したプログラムを再生できないことを示すメッセージ（図８（Ａ）の５４により示す）を表示する（ステップＳ５７）。この後、ダビングボタン３８が操作されたかどうか、取消ボタン３９が操作されたかどうかを調べるループ動作（ステップＳ５８，Ｓ５９）に移行する。そして、ダビングボタン３８が操作されたときでは、マイコン７は、指定されたプログラムをＤＶＤ１７からハードディスク１６に移動する（ステップＳ６０）。また、取消ボタン３９が操作されたときでは、ダビングに関する動作を終了する。
【００６３】
一方、指定したプログラムに付加されたコピー制限情報がコピーフリーを示す場合、あるいは、指定したプログラムにコピー制限情報が付加されていない場合には、動作は、ステップＳ５６からステップＳ６５に移行する。従って、ステップＳ６５に移行したときでは、テレビ受像機１９における表示は、図８（Ｂ）に示す表示となる。すなわち、プログラム名の表示エリア３１には、ダビングの対象として指定したプログラム名が表示され、コピー元表示エリア３２には『ＤＶＤ』が表示され、コピー先表示エリア３３には『ＨＤＤ』が表示される。
【００６４】
この後、ステップＳ６５，Ｓ６６からなるループ動作に移行する。そして、ダビングボタン３８が操作されたときでは、マイコン７は、指定されたプログラムをＤＶＤ１７からハードディスク１６にコピーする（ＤＶＤ１７に記録されたコピー元のプログラムは、消去されない）（ステップＳ６７）。このため、以後では、ハードディスク１６にコピーされたプログラム『ＦＦＦＦ』を指定して再生することが可能になる。また、消去されることなくＤＶＤ１７に残されたプログラム『ＦＦＦＦ』を指定して再生することも可能に維持される。なお、上記したループ動作において、取消ボタン３９が操作されたときでは、ダビングに関する動作が終了する。
【００６５】
なお、本発明は上記実施形態に限定されず、光ディスクについては、ＤＶＤとした場合について説明したが、その他の光ディスク（例えば、ブルーレイディスク等）の場合にも、同様に適用することができる。
【図面の簡単な説明】
【００６６】
【図１】本発明に係る映像記録再生装置の一実施形態であるハードディスクドライブ一体型ＤＶＤレコーダの電気的構成を示すブロック線図である。
【図２】映像音声情報をコピー元記録媒体からコピー先記録媒体にコピーするときの実施形態の主要動作を示すフローチャートである。
【図３】映像音声情報をコピー元記録媒体からコピー先記録媒体にコピーするときの実施形態の主要動作を示すフローチャートである。
【図４】映像音声情報をコピー元記録媒体からコピー先記録媒体にコピーするときの実施形態の主要動作を示すフローチャートである。
【図５】ダビングを指定するときのメニュー画面を示す説明図である。
【図６】コピーフリーのプログラムをダビングの対象として指定したときの表示内容を示す説明図である。
【図７】コピー制限情報が１回限りのコピー許可を示すプログラムをダビングの対象として指定したときの表示内容を示す説明図である。
【図８】プログラムをＤＶＤからハードディスクにコピーするときの表示内容を示す説明図である。
【図９】録画における制限を示す説明図である。
【図１０】コピーフリーなプログラムや１回限りのコピー許可のプログラムのコピーにおける制限を示す説明図である。
【符号の説明】
【００６７】
１１  使用可能媒体表示手段
１２  情報消失警告手段
１３  コピー元先表示手段
１４  再生不能警告表示手段
１６  ハードディスク
１７  ＤＶＤ
３１  プログラム表示エリア
３２  コピー元表示エリア
３３  コピー先表示エリア
３８  ダビングボタン
３９  取消ボタン
４１〜４４  使用可能なＤＶＤの一覧
【図１】
2006050171.tif 000003
【図２】
2006050171.tif 000004
【図３】
2006050171.tif 000005
【図４】
2006050171.tif 000006
【図５】
2006050171.tif 000007
【図６】
2006050171.tif 000008
【図７】
2006050171.tif 000009
【図８】
2006050171.tif 000010
【図９】
2006050171.tif 000011
【図１０】
2006050171.tif 000012